(57)【要約】【課題】  間伐され、枝打ちされた丸太や、家屋解体で放置された角材などを任意の長さに切断、処理、再利用するために運転操作安全、作業高能率、なにより安価で簡便な、丸太・角材簡易切断機を考案する。【解決手段】  図１  電動機またはエンジンにより起動、回転する簡単な機能の丸ノコギリ機Ａに、切断する丸太・角材（木材）１を置く受け台２を取り付け、受け台２の上部には操作レバー４を取り付けた。切断時は操作レバー４で受け台２の上の丸太・角材１を押さえつけ、さらに操作しバー４を押し上げると受け台２が持ち上げられ丸太・角材１が丸ノコギリの刃５で切断される。受け台２には木材の移動を容易にするためのローラー３を取り付けた。そのローラー３と操作レバー４付き受け台２の全体を丸太や角材切断操作時の、安全ガードＢとした、丸太・角材簡易切断機【選択図】図１
0003129732.tif 000002
【実用新案登録請求の範囲】
【請求項１】
電動機又はエンジンにより起動・回転する丸ノコギリ機に、丸太や角材を置く受け台を取り付け、受け台の上部には操作レバーを取り付け、操作レバーで受け台ごと持ち上げ丸太や角材を丸ノコギリの刃で切断する機械です。受け台には丸太や角材を動かしやすいようにローラーを取り付け、ローラーと操作レバー付き受け台の全体を、丸太や角材切断操作時の安全ガードとした丸太・角材簡易切断機
【考案の詳細な説明】
【技術分野】
【０００１】  本考案は、丸ノコギリ機で丸太や角材などを任意の長さに切断する丸太・角材簡易切断機です。丸ノコギリ機に切断する丸太や角材を置く受け台を取り付ける。受け台の上部には操作レバーを取り付け、切断時には操作レバーで丸太や角材を受け台に押さえつけ、さらに受け台ごと押し上げ丸太や角材を丸ノコギリの刃で切断する。受け台には丸太や角材を容易に動かせるようにするためのローラーを取り付けた。又、ローラーと操作レバー付き受け台の全体を丸太や角材切断操作時の安全ガードにした、丸太・角材簡易切断機に関するものである。
【背景技術】
【０００２】  従来、丸太、枝、角材の切断などは、公知のようにノコギリでした。近来ではチェーンソーが多く使われている。製材には製材機械、工作には電動丸ノコや丸ノコギリ盤は見られるが、丸太や角材などを切断するための専門の機械は見たことがない。
【考案の開示】
【考案が解決しようとする課題】
【０００３】  現在、立ち木の枝切り、間伐、伐採、又、本考案の課題でもある、丸太や角材の切断も、チェーンソーに負うところが多いのが実情です。公知のようにチェーンソーには電動とエンジン仕様があります。電動といえどもチェーンソーでの作業は機器を直接手で持っての操作作業ですからとても危険です。電気の届かないところではエンジン仕様を使うことになります。エンジン仕様は重く、長時間の使用はより危険です。立ち木の枝切り、間伐、伐採にはチェーンソーの役割は大きくても、間伐され、枝打ちされた丸太や角材などの再利用や処理のための連続しての切断には課題があります。ノコギリでは作業が非能率的です。電動丸ノコでも丸太切りは危険です。解決には、運転操作が安全で、仕事に能率的な、そして何より簡便な、本考案である、丸太・角材簡易切断機が求められます。
【課題を解決するための手段】
【０００４】  本考案には（１）〜（１３）までの課題を掲げ、考案を完成させた。
（１）電気のない作業現場でも使えるように、電動モーター又はエンジン起動仕様の簡便な丸ノコギリ機を作ること。
（２）作業場所を移動できるように丸ノコギリ機の底部にストッパー付きのキャスターを取り付けること。
（３）切断する丸太や角材を、丸ノコギリ機の刃から独立したところに安定して置ける受け台を作ること。
（４）受け台に重い丸太や角材を乗せやすいように受け台の位置を下げられるようにすること。
（５）受け台上の丸太や角材の移動が容易なように、受け台にはローラーが必要であること。
（６）切断時に、受け台上の丸太や角材を固定すること。
（７）重い丸太や角材を持ち上げ切断するためには、長い操作レバーが必要なこと。
（８）丸太や角材の荷重のバランスを取るために、操作レバーの操作位置を左右に動かせること。
（９）丸太や角材切断時に、丸ノコギリ刃に切断される丸太・角材の荷重が掛からないように工夫すること。
（１０）丸太や角材切断で切り込み過剰を防止するストッパーが必要なこと。
（１１）丸太や角材切断時の作業危険防止のため安全ガードが必要なこと。
（１２）丸太や角材の荷重に安定してノコギリ機本体が耐えられるように、ノコギリ機本体底部の長さを調節できるようにすること。
（１３）切断時のみ。スイッチを入れられるように、操作電源スイッチを操作しやすい所に取り付けること。
以上の課題の解決が求められます。
（１）（２）（１２）（１３）の課題は解決しても新規性はありません。（３）（４）（５）（６）（７）（８）（９）（１０）（１１）の課題を一つにまとめ、ローラーと操作レバーの付いた受け台を、丸太や角材切断操作時の安全ガードとして、丸ノコギリ機本体に取り付けることで。運転操作が安全で高能率的な、丸太・角材簡易切断機が出来ました。
【考案の効果】
【０００５】  現在は、立ち木の枝切り、間伐や伐採、丸太や角材切断までチェーンソーに負うところが多いことを述べてきました。枝切り、間伐、伐採はこれからもチェーンソーの負うところが多いと思います。しかし、手軽に使えるチェーンソーは作業者が直接機器を手で持つという点から危険という課題も述べてきました。
その点、本考案は運転操作時の安全ガード付きの据え付けられた機械で行います。立ち木の枝切り、間伐や伐採はできませんが、枝打ちされた間伐材の丸太や受け台の上に置ける枝、角材などの切断には安全と安定性、作業能率の点でも特段の能力を発揮します。
【考案を実施するための最良の形態】
【０００６】  本考案を図に基づいて説明すると、切断する丸太や角材１の受け台２を丸ノコギリ機Ａ（盤）から独立させ、受け台２の下部（脚部）の両側を丸ノコギリ機Ａ本体にボルト６で結びつけ、同じく中間部に取り付けた太いチェーン７を丸ノコギリ機Ａ側のフック８に結び、チェーン７の長さを調整することで受け台を上げ下げ出来るようにした。受け台２の上部には木材押え１０付き操作レバー４を取り付け、切断時には操作レバー４を持ち上げることで受け台２の上の丸太や角材１を押さえつけ、さらに受け台２ごと押し上げ丸太や角材を丸ノコギリの刃５で切断するようにした。受け台２には、丸太や角材を移動させやすいようにローラー３を取り付けた。丸太や角材切断操作時の過剰切り込み防止と、操作作業の「安全ガード」が必要でしたが、受け台２とノコギリ機Ａ本体との接触で過剰切り込み防止が出来るようにし、ローラー３と操作レバー４付き受け台２の全体を丸太や角材切断操作時の安全ガードＢにした。
切断時に切断木材の荷重が丸ノコギリの刃５に掛からないように切断安全ローラー９の取り付け位置を工夫した。
受け台の上の木材の荷重のバランスを計るために安全ガードＢの上端に丸鉄材１１を取り付け操作レバー４の位置を左右に移動できようにし、丸鉄材の名前を「操作レバー移動バー」１１にした。
【実施例】
【０００７】  「切断時に切断木材の荷重が丸ノコギリの刃５に掛からないように切断安全ローラー９の取り付け位置を工夫しました。」ですが、具体的に９のローラーがなければ切断された木材の荷重が丸ノコギリの刃に掛かりとても危険です。この位置の高さと丸ノコギリの刃５との間隔が大切です。「切断安全ローラー」９と命名し、取り付け位置を工夫した。
【産業上の利用可能性】
【０００８】  かつて、緑化事業が豊かな国のシンボルのように言われ進められてきたこともありました。また、一本の杉の間伐材でも農家では長木として大切に利用されてきました。
近年では国民の暮らしも変わり見向きもされません。日本全国の山林に、間伐された木々が丸太のまま折り重なるように朽ちるのを待っています。また、家屋の解体などでの廃材も同じ運命にあります。今までは、間伐材や廃材の角材を切断し処理したくても、労力と危険が伴いました。また、暖房用の薪として利用するにも同じく労力と危険が伴います。しかし、運転操作が安全で、作業能率抜群の本考案は、原油価格の高騰する新しい時代の日本の産業と経済に貢献するときが来ると確信する。
【図面の簡単な説明】
【０００９】
【図１】  丸太・角材簡易切断機」の側面図である。
【図２】  丸太・角材切断機」の平面図である。
【符号の説明】
【００１０】Ａ    丸ノコギリ機本体
Ｂ    丸太・角材切断操作時の安全ガード
１  丸太・角材（木材）
２  受け台
３  ローラー
４  操作レバー
５  丸ノコギリの刃
６  ボルト
７  チェーン
８  フック
９  切断安全ローラー
１０  木材押え
１１  操作レバー移動バー（丸鉄材）
１２  電動機
１３  ノコギリカバー
１４  キャスター
１５  長さ均一のストッパー取り付け部
【図１】
0003129732.tif 000003
【図２】
0003129732.tif 000004
【手続補正書】
【提出日】平成18年11月23日(2006.11.23)
【手続補正１】
【補正対象書類名】実用新案登録請求の範囲
【補正対象項目名】全文
【補正方法】変更
【補正の内容】
【実用新案登録請求の範囲】
【請求項１】
電動機又はエンジンにより起動・回転する丸ノコギリ機に、切断する丸太・角材を乗せる受け台を取り付け、受け台には丸太・角材を容易に動かすためのローラーと、受け台上部には丸太・角材を固定し、荷重のバランスをとるため左右に移動出来る操作レバーを取り付け、操作レバーで丸太・角材を受け台ごと持ち上げ丸ノコギリで切断する装置で、この装置は又、丸太・角材切断操作時の作業者の安全ガードになる一つの装置で二つの機能を持った丸太・角材簡易切断機の装置。